(57)【要約】本発明は文字入力を提供する文字入力部及び入力された文字を画面に表出する文字表示部を含む文字入力装置に関し、文字入力装置は、文字の入力単位が集まった１つ又は複数の文字入力部により構成され、機能によっては、言語文字の入力を提供する言語入力部とその他入力部に分けられ、配置によっては、右側文字入力部、左側文字入力部、上側文字入力部、下側文字入力部及び中央文字入力部に分けられ、２か国語以上の文字の同時入力を提供し、前述の文字入力部に２つ以上の言語入力部と１つ以上のその他入力部を常時表示し、複数の言語文字を前述の文字入力部に常時表出することで、文字入力部を変換せず、言語変換の操作をすることなく、２つ以上の言語文字を同時に入力することを特徴とする。
2019530122.tif 000002
【特許請求の範囲】
【請求項１】
文字の入力を提供する文字入力部及び入力された文字を画面に表出する文字表示部を含む文字入力装置であって、前記文字入力部は機能上、言語文字の入力を提供する言語入力部とその他入力に分けられ、配置によっては右側文字入力部、左側文字入力部、上側文字入力部、下側文字入力部及び中央文字入力部に分けられ、前記文字入力部に２つ以上の言語入力部と１つ以上のその他入力部を常時表示し複数の言語文字を前記文字入力部に常時表出することで言語変換の操作をすることなく２つ以上の言語文字を同時に入力することを特徴とする文字入力装置。
【請求項２】
請求項１において、前記文字入力部から言語ファンクションキーが入力されると、前記文字入力部は設定された領域に言語リストを表出し、言語リストから言語を選択して言語入力部において登録、変更又は削除することができることを特徴とする文字入力装置。
【請求項３】
請求項１において、 前記文字入力部から言語ファンクションキーが入力されると、 前記文字入力部は、言語入力部を上側、下側、左側又は右側の位置に配置するための配置キーを提供することを特徴とする文字入力装置。
【請求項４】
請求項１において、前記文字入力部から言語ファンクションキーが入力されると、前記文字入力部は、言語入力部が配置される順番を指定するための指定キーを提供することを特徴とする文字入力装置。
【請求項５】
請求項１において、前記その他入力部は数字入力部、記号入力部、特殊文字入力部及び絵文字、顔文字、スタンプ入力部、編集入力部、機能入力部及び設定入力部のうちいずれか１つ以上を含むことを特徴とする文字入力装置。
【請求項６】
請求項５において、前記その他入力部から設定キーが入力されると、設定された領域に数字、記号、特殊文字、絵文字、顔文字、スタンプ、編集キー、ファンクションキー及び設定キーのうちいずれか１つ以上を含むその他入力キーに関連するその他リストが表出され、その他リストからその他入力キーの選択を提供しその他入力キーを登録、変更又は削除することを特徴とする文字入力装置。
【請求項７】
請求項１において、前記文字入力部において言語入力部領域の任意の地点が押されている状態で上下左右を含む任意の方向に対するスワイプ入力を受けると、他の言語入力部に変更され、その他入力部領域の任意の地点が押されている状態で上下左右を含む任意の方向に対するスワイプ入力を受けると、他のその他入力部に変更されることを特徴とする文字入力装置。
【請求項８】
請求項１において、前記文字入力部のそれぞれのキーが登録、変更又は削除されるように文字入力部の動作を制御し、ユーザーによって制作されたりアップロードされた資料が登録、変更又は削除されるように文字入力部の動作を制御する制御部をさらに含むことを特徴とする文字入力装置。
【請求項９】
請求項１において、前記文字入力部は一つの言語入力部に文字が入力された状態で翻訳キーの入力を受けると、一つの言語入力部に入力された文字を残りの言語入力部に対応する言語で翻訳することを特徴とする文字入力装置。
【請求項１０】
請求項１において、前記文字表示部は言語入力部の数と同じ数で構成され文字表示部が分割され、それぞれの言語入力部と分割された文字表示部が１対１でマッチングされることを特徴とする文字入力装置。
【請求項１１】
請求項１０において、前記文字入力部は一つの言語入力部の言語で文字が入力された状態で翻訳キーの入力を受けると、一つの言語入力部の言語で入力された言語文字を残りの言語入力部の言語文字で一括翻訳し、前記文字表示部は一括翻訳された言語文字を残りの言語入力部の言語別に区分してそれぞれの言語入力部にマッチングされた文字表示部に表出することを特徴とする文字入力装置。
【請求項１２】
請求項１において、前記文字表示部は入力された言語文字の音の出力に対する入力を提供するスピーカーキーを含むことを特徴とする文字入力装置。
【請求項１３】
請求項１２において、前記スピーカーキーの入力を受けると、入力された言語文字を音で出力するオーディオ出力部をさらに含むことを特徴とする文字入力装置。
【請求項１４】
請求項１３において、前記オーディオ出力部は、スピーカーキーの数と同じ数で構成され、それぞれのスピーカーキーと１対１でマッチングされることを特徴とする文字入力装置。
【請求項１５】
請求項１において、前記文字入力部には第ｎ個（ｎは自然数）の言語入力部があり、前記文字表示部は第ｎ個の文字表示部に分割され、前記制御部には第ｎ個のオーディオ出力部が備えられ、第ｎ言語入力部に入力された文字は第ｎ文字表示部に現れ、第ｎ文字表示部に現れた文字の音は第ｎオーディオ出力部を通じてそれぞれ出力されることのできることを特徴とする文字入力装置。
【請求項１６】
請求項１０において、１対１でマッチングされる言語入力部と文字表示部は、互いに隣接して１対のグループとして配置され、１対１でマッチングされる言語入力部と文字表示部を含むそれぞれのグループは、文字入力装置の中心部を基準に左右又は上下に対称を成し向かい合うように配置されることを特徴とする文字入力装置。
【請求項１７】
請求項５において、前記その他入力部は設定キーの入力を受けると、設定された領域に言語入力部の配置位置と順番が指定された連動キーが表出され、連動キーの選択を受けると、その他入力部で入力する文字が入力されるとき選択された連動キーに該当する言語入力部と１対１でマッチングされる文字表示部でその他入力部で入力する文字が表出されるようにし入力連動を設定することを特徴とする文字入力装置。
【請求項１８】
請求項１において、前記文字入力部で表示される文字情報、文字入力部の動作を実行させるためのプログラム及び文字入力部から入力されたデータが含まれた入力情報のうちいずれか一つ以上を保存する保存部をさらに含むことを特徴とする文字入力装置。
【発明の詳細な説明】
【技術分野】
【０００１】
本発明は文字入力装置に関し、より詳しくは、複数の言語文字を同時に入力する際２つ以上の言語入力部と１つ以上のその他入力部を常時表示することで言語変換の操作をすることなく同時に２つ以上の言語文字を入力する技術に関する。
【背景技術】
【０００２】
従来の文字入力装置では、２ヶ国語の文字を入力する際母国語の文字入力中に外国語の文字を入力するためには、文字入力部の言語変換機能を実行、文字入力部を外国語を入力モードに完全に切り替えた上で入力を行い、その後再び母国語の文字入力モードに戻すために文字入力部の言語変換機能を再実行する必要があった。
【０００３】
従来の文字入力装置では、２ヶ国語の文字入力を提供する際文字入力部の言語変換機能を実行させる必要があるため、文字入力部の言語変換機能を繰り返し入力しなければならないため手間がかかり、文字入力にかかる時間が長くなるという問題点があった。
【０００４】
また、従来の文字入力装置では、２つの言語を同時に配列するとしても数字、記号、特殊文字や絵文字、顔文字、スタンプのうちいずれか１つ以上を含むその他の文字を入力したり様々なファンクションキー、設定キー、編集キー等を実行させるためには言語入力部を前述の数字や記号等のその他入力部へ切り替える機能を実行する。言語を入力するためにはその他入力部を言語入力部へ再び切り替えなければならず手間がかかる。
【発明の概要】
【発明が解決しようとする課題】
【０００５】
前述の課題を解決するために本発明は２つ以上の言語入力部と１つ以上のその他入力部を常時表示することで言語変換を行うことなく２つ以上の言語文字を同時に入力する文字入力装置を提供するものである。
【課題を解決するための手段】
【０００６】
前述の技術的課題を解決することを目的とする本発明における文字入力装置は、文字の入力を提供する文字入力部及び入力された文字を画面に表出する文字表示部を含み、前述の文字入力部は機能上、言語文字の入力を提供する言語入力部とその他入力部に分けられ、配置によっては右側文字入力部、左側文字入力部、上側文字入力部、下側文字入力部及び中央文字入力部に分けられ、前述の文字入力部に２つ以上の言語入力部と１つ以上のその他入力部を常時表示し複数の言語文字を前述の文字入力部に常時表出することで言語変換の操作をすることなく２つ以上の言語文字を同時に入力することを特徴とする。
【発明の効果】
【０００７】
本発明は２つ以上の言語入力部と１つ以上のその他入力部を常時表示することで言語変換を行うことなく２つ以上の言語文字を同時に簡単かつ完全に入力することができ、言語変換に必要な動作が減り動作の効率を向上させることのできるという顕著な効果がある。
【図面の簡単な説明】
【０００８】
【図１】本発明の実施例に基づく文字入力装置の構成図である。
【図２ａ】ＣＥＩ文字入力部の配置関係に基づく文字入力部の構成を示す例である。
【図２ｂ】ＣＥＩ文字入力部の配置関係に基づく文字入力部の構成を示す例である。
【図３ａ】２ヶ国語入力を提供する文字入力部の構成を示す例である。
【図３ｂ】２ヶ国語入力を提供する文字入力部の構成を示す例である。
【図３ｃ】２ヶ国語入力を提供する文字入力部の構成を示す例である。
【図３ｄ】２ヶ国語入力を提供する文字入力部の構成を示す例である。
【図４ａ】第１の実施例に基づく２ヶ国語入力を提供する文字入力部の構成を示す他の例である。
【図４ｂ】第１の実施例に基づく２ヶ国語入力を提供する文字入力部の構成を示す他の例である。
【図４ｃ】第１の実施例に基づく２ヶ国語入力を提供する文字入力部の構成を示す他の例である。
【図４ｄ】第１の実施例に基づく２ヶ国語入力を提供する文字入力部の構成を示す他の例である。
【図５ａ】第２の実施例に基づく言語ファンクションキーを使い言語入力部を変換する文字入力部の構成を示す例である。
【図５ｂ】第２の実施例に基づく言語ファンクションキーを使い言語入力部を変換する文字入力部の構成を示す例である。
【図５ｃ】第２の実施例に基づく言語ファンクションキーを使い言語入力部を変換する文字入力部の構成を示す例である。
【図５ｄ】スワイプ方式で言語入力部を変換する構成を示す例である。
【図６ａ】設定キーを使いその他入力キーを設定するその他入力部の構成を示す例である。
【図６ｂ】設定キーを使いその他入力キーを設定するその他入力部の構成を示す例である。
【図６ｃ】スワイプ方式でその他入力部を変換する構成を示す例である。
【図７ａ】言語入力部の配置を変換する構成を示す例である。
【図７ｂ】言語入力部の配置を変換する構成を示す例である。
【図７ｃ】言語入力部の配置を変換する構成を示す例である。
【図８】４つの言語入力部を含む文字入力部の構成を示す例である。
【図９ａ】第１の実施例に基づく言語入力部の入力された文字を翻訳する文字入力部の構成を示す例である。
【図９ｂ】第１の実施例に基づく言語入力部の入力された文字を翻訳する文字入力部の構成を示す例である。
【図９ｃ】第１の実施例に基づく言語入力部の入力された文字を翻訳する文字入力部の構成を示す例である。
【図９ｄ】第１の実施例に基づく言語入力部の入力された文字を翻訳する文字入力部の構成を示す例である。
【図１０ａ】第２の実施例に基づく言語入力部の入力された文字を翻訳する文字入力部の構成を示す例である。
【図１０ｂ】第２の実施例に基づく言語入力部の入力された文字を翻訳する文字入力部の構成を示す例である。
【図１０ｃ】第２の実施例に基づく言語入力部の入力された文字を翻訳する文字入力部の構成を示す例である。
【図１０ｄ】第２の実施例に基づく言語入力部の入力された文字を翻訳する文字入力部の構成を示す例である。
【図１１ａ】第３の実施例に基づく言語入力部の入力された文字を翻訳する文字入力部の構成を示す例である。
【図１１ｂ】第３の実施例に基づく言語入力部の入力された文字を翻訳する文字入力部の構成を示す例である。
【図１２ａ】第４の実施例に基づく言語入力部の入力された文字を翻訳する文字入力部の構成を示す例である。
【図１２ｂ】第４の実施例に基づく言語入力部の入力された文字を翻訳する文字入力部の構成を示す例である。
【図１３】入力された文字を音で出力するオーディオ出力部の構成を示す例である。
【図１４ａ】第５の実施例に基づく言語入力部と文字表示部が配置される構成を示す例である。
【図１４ｂ】第５の実施例に基づく言語入力部と文字表示部が配置される構成を示す例である。
【図１４ｃ】第５の実施例に基づく言語入力部と文字表示部が配置される構成を示す例である。
【図１５】第６の実施例に基づく言語入力部と文字表示部が配置される構成を示す例である。
【発明を実施するための形態】
【０００９】
以下に添付図面及び添付図面に記載された内容を参照し本発明の実施例について詳しく説明する。
【実施例】
【００１０】
図１は本発明の実施例に基づく文字入力装置の構成図であり、文字入力装置（１）はコンピューター、ラップトップ、スマートフォン、タブレットＰＣ、電子手帳、ＰＤＡ及びウェアラブル端末のうちいずれか一つの情報通信機器であることが可能である。前述の文字入力装置（１）は文字入力部（１０）、文字表示部（２０）、制御部（３０）及び保存部（４０）を含む。前述の文字入力装置（１）はボタン式、タッチ式及びホログラム式等の多様な方式で文字入力ができ、キーボード、マウス及び入力ペン等多様な入力道具を使い文字を入力することができる。
【００１１】
前述の文字入力部（１０）はユーザーが文字を入力できるように文字の入力を提供し、文字が入力されたら文字を認識し前述の制御部（３０）に伝達する。文字は言語文字及びその他の文字を含む。言語文字は自国語及び外国語等多様な国々の言語を含むことができ、その他の文字は数字、記号、特殊文字及び絵文字、顔文字、スタンプのうちいずれか一つ以上を含む。
【００１２】
前述の文字入力部（１０）はユーザーが文字を入力できるように文字キーが表示され、それぞれの文字キーの種類や文字キーの配置関係を変更するための様々なファンクションキーと設定キーが表示され、文字を編集するための編集キーが表示される。
【００１３】
前述の文字表示部（２０）は前述の文字入力装置（１）の動作状態を表示したり、前述の文字入力部（１０）で入力された文字を画面に表出する。
【００１４】
前述の制御部（３０）は前述の文字入力部（１０）と前述の文字表示部（２０）の動作を制御する。前述の制御部（３０）は文字入力部のそれぞれのキーが登録、変更又は削除されるように文字入力部（１０）の動作を制御し、文字入力部（１０）から文字認識が伝達されると前述の保存部（４０）に保存されている情報を使い文字表示部（２０）で当該文字が表示されるように制御することができる。
【００１５】
前述の保存部（４０）は多数のプログラムとデータを保存するためのロム（ＲＯＭ：Ｒｅａｄ Ｏｎｌｙ Ｍｅｍｏｒｙ）及びラム（ＲＡＭ：Ｒａｎｄｏｍ Ａｃｃｅｓｓ Ｍｅｍｏｒｙ）のうちいずれか一つ以上を含むことができる。
【００１６】
前述の保存部（４０）は文字入力部（１０）に表示される言語、言語リスト及びその他の文字等の文字情報、文字入力部（１０）の動作を実行させるためのプログラム及び文字入力部（１０）から入力されたデータが含まれた入力情報のうちいずれか一つ以上を保存する。文字情報は言語、数字、記号、特殊文字及び絵文字、顔文字、スタンプのうちいずれか一つ以上に関する情報である。プログラムはあらゆるファンクションキー、設定キー、編集キー及び翻訳キーのうちいずれか一つ以上を実行させることのできる情報を含む。
【００１７】
前述の制御部（３０）はあらゆるファンクションキー、設定キー、編集キー又は翻訳キーに対する入力を認識したら前述の保存部（４０）に保存されているプログラムを使い前述の文字入力部（１０）と文字表示部（２０）の動作を制御する。
【００１８】
前述の保存部（４０）はユーザーによって制作された資料の形の文字がアップロードされ保存されることができ、制御部（３０）はユーザーによって制作されたりアップロードされた資料が登録、変更又は削除されるように文字入力部（１０）の動作を制御することができる。
【００１９】
前述の文字入力部（１０）は１つ又は複数のＣＥＩ（Ｃｏｎｖｅｎｉｅｎｔ ｉｎｐｕｔ ｔｏ Ｅｘｐｒｅｓｓ ａｎ Ｉｄｅａ ａｎｄ ｉｎｆｏｒｍａｔｉｏｎ ｄｉｖｅｒｓｅｌｙ ａｎｄ ｆｒｅｅｌｙ）文字入力部（１１）で構成される。前述のＣＥＩ文字入力部（１１）はアイデアと情報を多様かつ自由に表現するための便利な入力部を意味する。
【００２０】
図２ａ及び図２ｂは前述のＣＥＩ文字入力部の配置関係に基づく文字入力部の構成を図示した例であり、ＣＥＩ文字入力部（１１）は機能上、言語文字の入力を提供する言語入力部とその他入力部に分かれている。前述の文字入力部に２つ以上の言語入力部と１つ以上のその他入力部を常時表示し、複数の言語文字を文字入力部上に常時表出することで言語変換の操作をすることなく２つ以上の言語文字入力を同時に効率よく入力できるようにする。
【００２１】
前述の文字入力部（１０の中でＣＥＩ文字入力部（１１）は配置によっては右側文字入力部（１１ａ）、左側文字入力部（１１ｂ）、上側文字入力部（１１ｃ）、下側文字入力部（１１ｄ）及び中央文字入力部（１１ｅ）に分けられる。
【００２２】
前述の文字入力部（１０）は図２ａに示すように右側文字入力部（１１ａ）と左側文字入力部（１１ｂ）及び中央文字入力部（１１ｅ）を配列することができ、右側文字入力部（１１ａ）と左側文字入力部（１１ｂ）及び上側文字入力部（１１ｃ）を配列することができ、右側文字入力部（１１ａ）と左側文字入力部（１１ｂ）及び下側文字入力部（１１ｄ）を配列することができる。
【００２３】
前述の文字入力部（１０）は図２ｂに示すように上側文字入力部（１１ｃ）と下側文字入力部（１１ｄ）及び中央文字入力部（１１ｅ）を配列することができ、上側文字入力部（１１ｃ）と下側文字入力部（１１ｄ）及び右側文字入力部（１１ａ）を配列することができ、上側文字入力部（１１ｃ）と下側文字入力部（１１ｄ）及び左側文字入力部（１１ｂ）を配列することができる。
【００２４】
前述の文字入力部（１０）は図２ａ及び図２ｂに示しているような方式で言語入力部とその他入力部を常時表示したり、多様な組み合わせの配列で常時表示する。
【００２５】
図３ａ乃至図３ｄは２ヶ国語入力を提供する文字入力部の構成を図示した例であり、文字入力部（１０の中でＣＥＩ文字入力部（１１）は機能上、言語文字の入力を提供する言語入力部とその他入力部に分かれている。
【００２６】
前述の文字入力部（１０）は２つ以上の言語入力部で構成されることができ、言語入力部は言語によってハングル入力部（１３）、中国語入力部、英語入力部（１４）、ロシア語入力部（１５）、日本語入力部（１６）、ドイツ語入力部、フランス語入力部、スペイン語入力部、アラブ語入力部、ヒンディー語入力部（１７）、ギリシア語入力部（１８）等各国の言語になり得る。
【００２７】
前述のその他入力部はその他の文字の入力を提供するその他の文字入力部、文字の編集を提供する編集入力部（１２ｇ）、言語変換の入力及びあらゆる機能を提供する機能入力部（１２ｅ）及びその他入力キーを設定したり文字入力のあらゆる環境を設定する設定入力部（１２ｆ）のうちいずれか一つ以上を含むことができる。前述のその他の文字入力部は数字、記号、特殊文字及び絵文字、顔文字、スタンプのうちいずれか一つ以上を含み、数字入力部（１２ａ）、記号入力部（１２ｂ）、特殊文字入力部（１２ｃ）及び絵文字、顔文字、スタンプ入力部（１２ｄ）に分かれている。
【００２８】
図３ａのように前述の文字入力部は右側文字入力部（１１ａ）と左側文字入力部（１１ｂ）及び中央文字入力部（１１ｅ）に配置されることが可能である。右側文字入力部（１１ａ）はハングル入力部（１３）であり、左側文字入力部（１１ｂ）は英語入力部（１４）であり、中央文字入力部（１１ｅ）は数字入力部（１２ａ）と機能入力部（１２ｅ）であることが可能である。
【００２９】
前述の文字入力部（１０）は図３ｂに示すように右側文字入力部（１１ａ）と左側文字入力部（１１ｂ）及び中央文字入力部（１１ｅ）に配置されることが可能である。右側文字入力部（１１ａ）は英語入力部（１４）であり、左側文字入力部（１１ｂ）はハングル入力部（１３）であり、中央文字入力部（１１ｅ）は記号入力部（１２ｂ）と機能入力部（１２ｅ）であることが可能である。
【００３０】
前述の文字入力部（１０）は図３ｃに示すように上側文字入力部（１１ｃ）と下側文字入力部（１１ｄ）及び中央文字入力部（１１ｅ）に配置されることが可能である。上側文字入力部（１１ｃ）は英語入力部（１４）であり、下側文字入力部（１１ｄ）はハングル入力部（１３）であり、中央文字入力部（１１ｅ）は数字入力部（１２ａ）であることが可能である。
【００３１】
前述の文字入力部（１０）は図３ｄに示すように上側文字入力部（１１ｃ）はハングル入力部（１３）であり、下側文字入力部（１１ｄ）は英語入力部（１４）であり、中央文字入力部（１１ｅ）は記号入力部（１２ｂ）である。
【００３２】
従来の２つの言語を入力する例は次の通りである。
2019530122.tif 000003
このようにこれまでは言語変換と記号変換機能を繰り返し使い文字入力部を何回も変換しなければいけないため、非常に手間がかかり入力に時間がかかることがある。
【００３３】
本発明における実施例は、次の通りである。
2019530122.tif 000004
従って文字入力部を変換する必要がないため変換機能を使わず、文字入力部の変換を全くすることなく前述の例文を素早く簡単に入力することができ、文字を入力する時間を短縮できる。
【００３４】
本発明は括弧を入力する際記号入力部（１２ｂ）で統合括弧キー（１３０）を活用することができる。ユーザーが統合括弧キー（１３０）を1回長押しすると「（」が入力され、再び1回長押しすると「）」が入力され、統合括弧キー（１３０）を繰り返し叩くと「（）」を連続して入力することができる。
【００３５】
統合括弧キー（１３０）について設定された時間又は０．２秒以上押されていることが感知されれば「{}」、「[]」及び「<>」等の多様な括弧が設定された領域に表示される。ユーザーがそのうち必要な括弧を選択すると、選択した括弧の始め括弧が入力され、その後終わり括弧を入力する際は統合括弧キーを１回長押しすると括弧が完成ことが可能である。
【００３６】
本発明は統合括弧キー（１３０）を通じてその他入力部の空間を効率よく使用することができ、多様な括弧を入力する際括弧を探す段階を短縮することができ、統合括弧キーを設定された時間以上押して表示された括弧のうち特定の始め括弧を入力してから統合括弧キーを押してすぐに終わり括弧を入力することができるためユーザーに簡単な入力環境を提供することができる。
【００３７】
本発明でユーザーが
2019530122.tif 000005
を入力すると文字表示部に入力した順番通りに表示される。
【００３８】
図４ａ乃至図４ｄは第１の実施例に基づく２ヶ国語入力を提供する文字入力部の構成を図示した他の例として、言語入力部は韓国語と英語だけでなく、中国語、ロシア語、日本語、ドイツ語、スペイン語、イタリア語、フランス語、アラブ語、ヒンディー語等全世界の多様な国々の言語が配置されることが可能である。
【００３９】
例えば言語入力部は図４ａに示すように中国語と韓国語が配置されることができ、図４ｂに示すようにロシア語とドイツ語がされることができ、図４ｃに示すようにフランス語とアラブ語がされることができ、図４ｄに示すようにスペイン語とヒンディー語が配置されることが可能である。
【００４０】
前述の文字入力部（１０）は本発明で例示された文字入力部だけでなくＱＷＥＲＴＹ型文字入力部、天地人文字入力部、ナラックル文字入力部及びｓｋｙ文字入力部を含め多様な入力インターフェイスを適用することができる。
【００４１】
前述の文字入力部は他の言語の入力を提供するために言語変換の入力を提供する言語ファンクションキー（１００）を提供することができる。
【００４２】
図５ａ及び図５ｃは、第１の実施例に基づき、前述の言語ファンクションキー（１００）を使い言語入力部を変換する文字入力部の構成を図示した例であり、文字入力部が言語ファンクションキー（１００）の入力を受けると、設定された領域に複数の国々の言語が含まれた言語リスト（１１０）が表出され、言語リスト（１１０）から言語選択を提供し言語入力部を登録、変更又は削除する。 
【００４３】
前述の言語ファンクションキー（１００）は図５ａ及び図５ｃに示すように
2019530122.tif 000006
又は国名を英語の略語で表記しＫＲ、ＵＳ、ＣＮ、ＪＰ、ＲＵ、ＥＳ、ＦＲ、ＤＥ、ＡＥ、ＩＮ等を使用することもできる。
【００４４】
図５ａに示す例のように言語リスト（１１０）でハングルと英語に対する選択入力を受けると、言語入力部上にハングル入力部（１３）と英語入力部（１４）が表出される。
【００４５】
図５ｃに示すように言語リストからハングルとロシア語を選択する入力を受けると、言語入力部上にハングル入力部（１３）とロシア語入力部（１５）が表出される。
【００４６】
このような方法で言語リストからハングルとドイツ語を選択すると文字入力部上にハングル入力部とドイツ語入力部が表出され、言語リストから中国語とロシア語を選択すると文字入力部上に中国語入力部とロシア語入力部が表出される。言語リストからハングル、英語、ロシア語、ギリシア語を選択すると文字入力部上にハングル入力部、英語入力部、ロシア語入力部、ギリシア語入力部が表出される。
【００４７】
前述の文字入力部が言語ファンクションキー（１００）の入力を受けると、言語入力部を上側、下側、左側又は右側の位置に配置するための配置キー（１１１）の入力を提供する。配置キー（１１１）は図５ａに示すように「上」、「下」、「左」及び「右」という形で表示されることが可能である。例えばユーザーは図３ｂのようにハングル入力部（１３）を左側に配置し英語入力部を右側に配置すれば言語リスト（１１０）で「ハングル」を選択し、「左」と表示された配置キー（１１１）を選択し言語リストから「英語」を選択し「右」と表示された配置キー（１１１）を選択してから登録キー（１１３）を押せばよい。
【００４８】
前述の文字入力部は言語リスト（１１０）で２つ以上の言語を選択され、配置キー（１１１）に入力を受けなければ言語選択を受けた順番に沿って設定された配置条件に対応して言語入力部を自動的に配列する。例えば先ず選択したのが上下配列では上側に、左右配列では左側に配置される。
【００４９】
また２つ以上の言語入力部を使用しているところ、１つの言語入力部だけを使おうとする場合、前述の言語リストから使おうとする１つの言語名だけ残して残りの言語名を選択して削除キー（１１４）を押せばよい。
【００５０】
図５ｃで示すようにユーザーが英語入力部（１４）をロシア語入力部（１５）に変換しようとする場合、ユーザーは言語ファンクションキー（１００）を押して言語リスト（１１０）が表出されるようにし、言語リスト（１１０）で英語を選択解除し、ロシア語を選択し、登録キー（１１３）を長押しすると英語入力部がロシア語入力部に変換される。
【００５１】
前述の文字入力部が言語ファンクションキー（１００）の入力を受けると、言語入力部が配置される順番を指定するための指定キー（１１２）の入力を提供する。指定キー（１１２）は図５ａに示すように「１」、「２」、「３」及び「４」という形で表示されることが可能である。
【００５２】
ユーザーは図５ｂに示すように文字入力部上にハングル入力部（１３）、英語入力部（１４）、日本語入力部（１６）及びヒンディー語入力部（１７）を配置するとき、順番に図５ａに示す言語リスト（１１０）で「ハングル」を選択し、「１」の指定キー（１１２）を選択し、言語リスト（１１０）で「英語」を選択し、「２」の指定キー（１１２）を選択し、言語リスト（１１０）で「日本語」を選択し、「３」の指定キー（１１２）を選択し、言語リスト（１１０）で「ヒンディー語」を選択し、「４」の指定キー（１１２）を選択し登録キーを長押しすると各言語入力部が各位置に配置される。
【００５３】
前述の文字入力部は言語リスト（１１０）で２つ以上の言語を選択され、指定キー（１１２）に入力を受けなければ言語選択を受けた順番に沿って設定された指定条件に対応して言語入力部を自動的に配列する。
【００５４】
図５ｄはスワイプ方式で言語入力部を変換する構成を図示した例であり、文字入力部において、言語入力部領域の任意の地点が押されている状態で上下左右を含む任意の方向に対するスワイプ入力を受けると、他の言語入力部に変更される。
【００５５】
例えば文字入力部は図５ｄに示すように英語入力部（１４）領域の任意の地点が押されている状態で右方向へスワイプ入力を受けると、英語入力部（１４）がロシア語入力部（１５）に変換されて表示されることができ、ロシア語入力部（１５）領域で同じ方式でスワイプ入力を受けると、ロシア語入力部（１５）が日本語入力部（１６）に変換されて表示されることが可能である。
【００５６】
文字入力部において、言語入力部領域の任意の地点が押されている状態で任意の方向に対するスワイプ入力を受けると、言語リスト（１１０）に保存されている予め設定された順番通りに言語入力部が変換される。
【００５７】
例えば文字入力部は上下方向のスワイプ入力のうち、下方向スワイプ入力を受けると、言語リスト（１１０）で順方向に次の言語入力部に変換されることができ、上方向スワイプ入力を受けると、言語リスト（１１０）で逆方向に次の言語入力部に変換されることが可能である。また文字入力部は左右方向スワイプ入力で右方向へスワイプ入力を受けると、言語リスト（１１０）で順方向に次の言語入力部に変換されることができ、左側方向に対するスワイプ入力を受けると、言語リスト（１１０）で逆方向に次の言語入力部に変換されることが可能である。
【００５８】
ユーザーは言語リスト（１１０）でよく使う言語を予め設定することができ、言語リスト（１１０）の順番を設定することができ、新しい言語入力部を新規で登録することができる。
【００５９】
2019530122.tif 000007
以降ハングル入力部と記号入力部及び各国の言語入力部を数回変換しながら入力しなければならない。従って非常に手間がかかり入力時間が長くなる問題点がある。
【００６０】
しかし本発明では例えば２ヶ国語を常時入力できるように配置した上で左側入力部にハングル入力部を配置し右側入力部に英語入力部を配置し中央入力部に記号入力部を配置してからハングルと記号はハングル入力部と記号入力部で直接入力して英語入力部で英語を入力してから、ハングル入力部と記号入力部は変換せずそのまま続けてハングルと記号を入力していき、右側の言語入力部は英語入力部から中国語入力部、ロシア語入力部、日本語入力部、スペイン語入力部、フランス語入力部、ドイツ語入力部、ヒンディー語入力部、アラブ語入力部等へ変換しながら入力をすることができる。このとき右側入力部は言語ファンクションキーを利用して変換させたり任意の地点を押したりスワイプして簡単に変換させることができる。このように本発明を利用すれば文字入力部を変換する回数を大幅に削減できるため文字を入力するときの時短や効率向上を図ることができる。
【００６１】
また本発明で例えば前述の例文を入力するために４ヶ国語を常時入力できるように配置した上で、第１文字入力部にはハングル入力部を配置し第２文字入力部には英語入力部を、第３文字入力部には中国語入力部を、第４文字入力部にはロシア語入力部を配置し、その他入力部には記号入力部を配置すると、
2019530122.tif 000008
このときも文字入力部を一度も変換することなくハングル、記号、ドイツ語、ヒンディー語、アラブ語を全部同時に入力することができる。
【００６２】
図６ａ及び図６ｂは設定キーを使いその他入力キーを設定するその他入力部の構成を図示した例であり、その他入力部は設定キー（１２０）の入力を受けると、設定された領域に数字入力部（１２ａ）、記号入力部（１２ｂ）、特殊文字入力部（１２ｃ）、絵文字、顔文字、スタンプ入力部（１２ｄ）、編集入力部（１２ｇ）、機能入力部（１２ｅ）及び設定入力部（１２ｆ）のうちいずれか１つ以上を含むその他入力キーに関連するその他リスト（１２１）が表出され、その他リスト（１２１）でその他入力キーの選択を提供しその他入力キーを登録、変更又は削除する。例えばその他入力部はその他リスト（１２１）で'数字'を選択すると数字入力部（１２ａ）を表出することができる。
【００６３】
図６ｂは設定キー（１２０）を押してその他リスト（１２１）で特殊文字を選択して特殊文字入力部が表出されていることを示す例である。
【００６４】
本発明はその他リスト（１２１）に登録された順番通りにその他入力部を変換することができ、よく使うその他入力キーを予め設定することができユーザーの必要に応じてその他入力部の順番を変更して登録することができ、ユーザーが必要なその他入力部を新規で登録することができる。また本発明はユーザーの必要に応じて言語入力部をその他入力部に変換することができ、その他入力部を言語入力部に変換することができる。
【００６５】
図６ｃはスワイプ方式でその他入力部を変換する構成を図示した例であり、文字入力部において、その他入力部領域の任意の地点が押されている状態で上下左右を含む任意の方向に対するスワイプ入力を受けると、他のその他入力部に変更される。
【００６６】
文字入力部は図６ｃに示すように数字入力部（１２ａ）領域の任意の地点が押されている状態で右方向へスワイプ入力を受けると、数字入力部（１２ａ）が記号入力部（１２ｂ）に変換されて表示されることができ、記号入力部（１２ｂ）領域で同じ方式でスワイプ入力を受けると、記号入力部（１２ｂ）が特殊文字入力部（１２ｃ）に変換されて表示されることが可能である。
【００６７】
文字入力部において、その他入力部領域の任意の地点が押されている状態で任意の方向に対するスワイプ入力を受けると、その他リスト（１２１）に保存されている予め設定された順番通りにその他入力部が変換される。
【００６８】
例えば文字入力部は上下方向のスワイプ入力のうち、下方向スワイプ入力を受けると、その他リスト（１２１）で順方向に次のその他入力部に変換されることができ、上方向スワイプ入力を受けると、その他リスト（１２１）で逆方向に次のその他入力部に変換されることが可能である。また文字入力部は左右方向スワイプ入力のうち、右方向スワイプ入力を受けると、その他リスト（１２１）で順方向に次のその他入力部に変換されることができ、左方向スワイプ入力を受けると、言語リスト（１１０）で逆方向に次のその他入力部に変換されることが可能である。
【００６９】
このように本発明では言語入力部又はその他入力部を言語ファンクションキーや設定キーを押して他の言語入力部又は他の種類のその他入力部に簡単かつ素早く変換することができるため２ヶ国語だけでなく色々な国の言語及びその他の文字等をより素早く簡単に変換し多様な形で入力して編集することができる。この方法を活用すれば２ヶ国語を入力する際２ヶ国語言語入力部は文字入力部上に常時表出されている状態で数字、記号、特殊文字、絵文字、顔文字、スタンプ、機能、設定、編集等その他入力部を必要に応じてその都度変換させ多様な形で活用することができるため２ヶ国語の入力速度の向上につながり２ヶ国語をより速く完全に入力することができる。２ヶ国語以上の言語を入力する際も同様である。
【００７０】
本発明は言語入力部又はその他入力部の文字キーをユーザーが変更して登録又は削除することができ、ユーザーによって制作された資料を文字のように登録して使うことができる。例えばユーザーは言語入力部又はその他入力部キーを設定された時間分、長押しすると押されたキーを変更することができ、ユーザーによって制作されたりアップロードされた資料を登録、変更、削除することができる。設定された時間は０．２秒以上であることが可能である。
【００７１】
図７ａ乃至７ｃは言語入力部の配置を変換する構成を図示した例であり、文字入力部が言語ファンクションキー（１００）の入力を受けると、設定された領域に複数の国々の言語が含まれた言語リスト（１１０）が表出され、言語リスト（１１０）から言語選択を提供し言語入力部を登録、変更又は削除する。
【００７２】
例えばユーザーは図７ａに示すようにハングルと英語で構成される２つの言語入力部が表出された状態で言語リスト（１１０）で英語を選択解除すると図７ｂに示すようにハングルで構成される１つの言語入力部が表出され、ハングルを選択解除すると図７ｃに示すように英語で構成される１つの言語入力部が表出される。
【００７３】
本発明は２ヶ国語の文字を入力する途中1ヶ国語を主に入力する場合には１つの言語入力部だけを表示して言語入力部の可視性や認知性を高めることができ、画面の空間活用度を増加させ文字入力効率を向上させることができる。
【００７４】
また本発明は１つの言語入力部だけを表出してその他入力部の色々なキーを多様な形に配置することができる。例えば図７ｂ及び図７ｃに示すように言語入力部を中心に左側に記号入力部（１２ｂ）を配置することができ、右側に数字入力部（１２ａ）を配置することができ、画面の両端には絵文字、顔文字、スタンプ入力部（１２ｄ）を配置することができる。文字入力部において、その他入力部領域の任意の地点が押されている状態で上下左右を含む任意の方向に対するスワイプ入力を受けると、他のその他入力部に変更することができる。絵文字、顔文字、スタンプ入力部は上下又は左右にスワイプして多様な絵文字、顔文字、スタンプが出るようにすることができる。
【００７５】
図８は４つの言語入力部を含む文字入力部の構成を図示した例であり、文字入力装置（１）は４つの言語入力部を含むため、スマートフォンより液状画面のサイズが大きい情報通信機器で使われることが可能である。
【００７６】
前述の文字入力部（１０）は図８に示すようにハングル入力部（１３）、英語入力部（１４）、日本語入力部（１６）及びヒンディー語入力部（１７）からなる言語入力部を含み、数字入力部（１２ａ）と絵文字、顔文字、スタンプ入力部（１２ｄ）からなるその他入力部を配置して４ヶ国語を入力する際文字入力部を変換することなく４ヶ国語を維持しながら言語変換することなく４ヶ国語を同時に迅速かつ効率よく入力することができる。
【００７７】
2019530122.tif 000009
一度も文字入力部変換や言語変換を行うことなく４ヶ国語の文字を迅速かつ効率よく完全に入力することができる。
【００７８】
図９ａ乃至図９ｄは第１の実施例に基づく言語入力部の入力された文字を翻訳する文字入力部の構成を図示した例であり、前述の文字入力部（１０）は一つの言語入力部に文字が入力された状態で翻訳キー（１４０）の入力を受けると、一つの言語入力部に入力された文字を残りの言語入力部に対応する言語で翻訳する。
【００７９】
前述の制御部（３０）は前述の文字入力部（１０）に常時表示される２つの言語入力部の入力を認識し、翻訳キー（１４０）の入力を認識し保存部（４０）に保存されている翻訳プログラムを実行し、翻訳された言語が文字表示部（２０）に表示されるように制御する。
【００８０】
前述の文字入力部（１０）は図９ａ乃至図９ｄ示す例のように２つの言語入力部及び１つのその他入力部を含むことができ、言語入力部は右側文字入力部であるハングル入力部（１３）と左側文字入力部である英語入力部（１４）を含むことができ、その他入力部は数字入力部（１２ａ）であることが可能である。
【００８１】
前述の文字入力部（１０）は図９ａ乃至図９ｄ示す例のようにハングル文字が入力された状態で翻訳キー（１４０）の入力を受けると、ハングル文字を英語文字で翻訳し、英語文字が入力された状態で翻訳キー（１４０）の入力を受けると、英語文字をハングル文字で翻訳する。
【００８２】
韓国人とアメリカ人が会話する場合、韓国人ユーザーは２つの言語入力部をハングル入力部（１３）と英語入力部（１４）に設定し、韓国人はハングル入力部（１３）でハングルで文字を入力して翻訳キー（１４０）を押して、アメリカ人は文字表示部（２０）に翻訳し表示された英語文字を確認し、アメリカ人は英語入力部（１４）で英語で文字を入力して翻訳キー（１４０）を押して、韓国人は文字表示部（２０）に翻訳し表示されたハングル文字を確認する。
【００８３】
例えば韓国人はハングル入力部（１３）で
2019530122.tif 000010
【００８４】
本発明はユーザーが外国語の学習、翻訳又は通訳を行うとき２ヶ国語を相互的に翻訳する文字入力装置（１）を使うことで、自国語と外国語を互いに随時対照しながら意味把握をすることができ、外国人との会話を通訳する現場で即時活用することができる。
【００８５】
このように本発明は複数の言語文字を文字入力部に常時表出することで文字入力部を変換することなく複数の言語文字を同時に入力することができるためユーザーが外国人と会話するとき相手の言語に翻訳して見せることで、お互いに意見を明確に伝えることができ、相手の言語を知らない人同士の意思疎通を可能にすることができる。
【００８６】
前述の文字入力部（１０）は一つの言語入力部に文字が入力された状態で設定された時間分、翻訳キー（１４０）の入力を受けると、設定された領域に言語リスト（１１０）が表出されることができ、言語リスト（１１０）のうち特定の言語が選択されれば入力された文字を選択された言語文字で翻訳する。設定された時間は０．２秒以上であることが可能である。
【００８７】
例えば前述の文字入力部（１０）はハングル入力部（１３）にハングル文字が入力された状態で設定された時間分、翻訳キー（１４０）の入力を受けると、設定された領域にハングルを除いた言語リスト（１１０）が表出され、言語リスト（１１０）のうち'ドイツ語'が選択されれば入力された文字をドイツ語文字で翻訳する。
【００８８】
本発明は文字入力装置（１）で２つの言語入力部が常時表示されている状態で一つの言語入力部の文字に対する翻訳キー（１４０）の入力を受けると、他の一つの言語入力部の言語で翻訳するが、設定された時間分、翻訳キー（１４０）の入力を受けると、２つの言語入力部以外の言語で翻訳できるように言語リスト（１１０）を表出することで、翻訳機能性を向上させることができる。
【００８９】
図１０ａ乃至図１０ｄは第２の実施例に基づく言語入力部の入力された文字を翻訳する文字入力部の構成を図示した例であり、文字表示部（２０）は言語入力部の数と同じ数で構成され文字表示部が分割され、それぞれの言語入力部と分割された文字表示部が１対１でマッチングされ各言語入力部で文字を入力するとそれに対応する文字表示部に当該言語文字がそれぞれ入力される。
【００９０】
本発明は文字入力部にｎ個の言語入力部とｎ個の文字表示部があることが可能であり（ｎは自然数）第ｎ言語入力部と第ｎ文字表示部は互いに対応関係にあり、第ｎ言語入力部に入力した文字は第ｎ文字表示部にそれぞれ入力されて現れることが可能である。
【００９１】
文字入力部（１０）は一つの言語入力部の言語で文字が入力された状態で翻訳キー（１４０）の入力を受けると、一つの言語入力部の言語で入力された言語文字を残りの言語入力部の言語文字で一括翻訳し、文字表示部（２０）は一括翻訳された言語文字を残りの言語入力部の言語別に区分してそれぞれの分割された文字表示部に表出する。
【００９２】
言語入力部及び文字表示部（２０）は図１０ａ乃至図１０ｄに示すようにそれぞれ２つであることが可能である。文字表示部（２０）は文字入力部がハングル入力部（１３）と英語入力部（１４）で構成されればハングル表示部（２３）と英語表示部（２４）に分割される。ここでハングル入力部（１３）を第１言語入力部（１７ａ）としハングル表示部（２３）を第１文字表示部（２７ａ）とし英語入力部（１４）を第２言語入力部（１７ｂ）とし英語表示部（２４）を第２文字表示部（２７ｂ）とすることができる。ハングル入力部（１３）に文字が入力されたらハングル表示部（２３）に入力されたハングル文字が表示され、英語入力部（１４）に文字が入力されたら英語表示部（２４）に入力された英語文字が表示される。
【００９３】
ハングル入力部（１３）にハングル文字が入力された状態で翻訳キー（１４０）が入力されたら英語表示部（２４）にハングル文字が翻訳された英語文字が表示され、英文入力部（１４）に英語文字が入力された状態で翻訳キー（１４０）が入力されたらハングル表示部（２３）に英語文字が翻訳されたハングル文字が表示される。
【００９４】
例えば、ハングル入力部（１３）に
2019530122.tif 000011
【００９５】
図１１ａ及び図１１ｂは第３の実施例に基づく言語入力部の入力された文字を翻訳する文字入力部の構成を図示した例であり、言語入力部とこれに対応する文字表示部（２０）はそれぞれ４つであることが可能である。
【００９６】
文字表示部（２０）は図１１ａ及び図１１ｂに示すようにハングル入力部（１３）、英語入力部（１４）、ロシア語入力部（１５）及びギリシア語入力部（１８）で構成されればハングル表示部（２３）、英語表示部（２４）、ロシア語表示部（２５）及びギリシア語表示部（２６）に分割されることが可能である。ユーザーが第１言語入力部であるハングル入力部（１３）で文字を入力すると第１文字表示部であるハングル表示部（２３）にハングルが表示され、第２言語入力部である英語入力部（１４）で文字を入力すると第２文字表示部である英語表示部（２４）に英語が表示されるようにする。同じく第３言語入力部であるロシア語入力部で文字を入力すると第３文字表示部であるロシア語表示部でロシア語が表示され、第４言語入力部であるギリシア語入力部で文字を入力すると第４文字表示部であるギリシア語表示部にギリシア語が表示される。
【００９７】
ハングル入力部（１３）にハングル文字が入力された状態で翻訳キー（１４０）が入力されたら入力されたハングル文字が英語入力部（１４）、ロシア語入力部（１５）及びギリシア語入力部（１８）の言語で一括翻訳され、一括翻訳された文字が言語別に区分して英語表示部（２４）、ロシア語表示部（２５）及びギリシア語表示部（２６）にそれぞれ表示される。
【００９８】
図１１ａに示すように
2019530122.tif 000012
と翻訳されそれぞれ表示される。
【００９９】
本発明はユーザーが一括翻訳機能を使い多言語を効率よく学習したり翻訳することができ、国籍の異なる人同士で会話するとき相手の言語に翻訳して見せることで、お互いに意見を明確に伝えることができ、相手の言語を知らない人同士の意思疎通を可能にすることができる。従って本発明を利用して全世界の人々がより容易に意思疎通できるようになる。
【０１００】
図１２ａ及び図１２ｂは第４の実施例に基づく言語入力部の入力された文字を翻訳する文字入力部の構成を図示した例であり、文字表示部（２０）は入力された言語文字の音の出力に対する入力を提供するスピーカーキー（１５０）を含む。
【０１０１】
図１３は入力された文字を音で出力するオーディオ出力部の構成を図示した例であり、本発明の文字入力装置（１）はスピーカーキーの入力を受けると、入力された言語文字を音で出力するオーディオ出力部（５０）をさらに含む。保存部（４０）は言語別の発音と音に関する音声情報が保存され、制御部（３０）はスピーカーキー（１５０）の入力を認識したら保存部（４０）に保存されている音声情報を読み取りオーディオ出力部（５０）に提供するよう保存部（４０）とオーディオ出力部（５０）を制御することができる。
【０１０２】
本発明は図９ａ乃至図９ｄに示すように
2019530122.tif 000013
文字表示部に「Ｗｈｅｒｅ ｉｓ ｔｈｅ ｂｕｓ ｓｔｏｐ?」が表示され、このときスピーカーキー（１５０）の入力を受けると、オーディオ出力部（５０）で翻訳された英語文字を音で出力する。
【０１０３】
図１２ａに示すように
2019530122.tif 000014
英語表示部に「Ｗｈｅｒｅ ｉｓ ｔｈｅ ｂｕｓ ｓｔｏｐ?」が表示され、このときスピーカーキー（１５０）の入力を受けると、オーディオ出力部（５０）で翻訳された英語文字を音で出力する。
【０１０４】
本発明は図９ａ乃至図９ｄに示すように翻訳する前の文字と翻訳した後の文字をまとめて１つの文字表示部（２０）に表示することができ、翻訳キー（１４０）を通じて翻訳文字を音で出力することができる。また本発明は図１２ａに示すように翻訳する前の文字と翻訳した後の文字を区分して２つに分割された文字表示部（２０）に表示することができ、翻訳キー（１４０）を通じて翻訳する前又は翻訳した後の文字をそれぞれ音で出力することができる。
【０１０５】
本発明は図１２ｂに示すように一括翻訳された文字についても、言語別に翻訳された文字を音で出力することができる。
2019530122.tif 000015
それぞれ文字表示部で各スピーカーキーを長押しすると当該言語の音をそれぞれ聞くことができる。
【０１０６】
本発明は翻訳ともに音が提供され外国語会話学習、翻訳、通約を効率よく行うことができ、外国人と意思疎通をする際、話したい内容を入力して翻訳した後音で聞かせることで外国人との意思疎通の効率を向上させることができる。また色々な国の国政を持つ人が相手の言語が分からなくても効率よく意思疎通できるようにすることができる。
【０１０７】
オーディオ出力部（５０）はスピーカーキーの数と同じ数で構成され、それぞれのスピーカーキーと１対１でマッチングされる。図１３に示すように文字入力部に第ｎ個（ｎは自然数）の言語入力部があり得るともに第ｎ個の文字表示部と第ｎ個のオーディオ出力部があり、互いに連動されることが可能である。ここで第ｎ言語入力部で入力した文字は第ｎ文字表示部に現れ第ｎオーディオ出力部を通じてそれぞれ聞くことができる。
【０１０８】
ユーザーは第１言語入力部（１７ａ）で入力して第１文字表示部（２７ａ）に現れた文字の音を第１オーディオ出力部（５８ａ）で別途聞くことができ、他の言語入力部も同じく作動する。このとき各オーディオ出力部にイヤホンをつなげたりＢｌｕｅｔｏｏｔｈ（登録商標）・イヤホンを連動させ前述の各文字表示部に現れた文字の音をそれぞれ聞くことができる。
【０１０９】
オーディオ出力部（５０）はハングル表示部（２３）にハングル文字が表示され、スピーカーキー（１５０）の入力を受けると、入力されたハングル文字を音で出力する。
【０１１０】
図１４ａ乃至図１４ｃは第３の実施例に基づく言語入力部と文字表示部が配置される構成を図示した例であり、文字表示部（２０）は言語入力部の数と同じ数で構成され文字表示部が分割され、それぞれの言語入力部と分割された文字表示部が１対１でマッチングされる。
【０１１１】
１対１でマッチングされる言語入力部と文字表示部は、互いに隣接して１対のグループとして配置される。１対１でマッチングされる言語入力部と文字表示部を含むそれぞれのグループは、文字入力装置の中心部を基準に左右又は上下に対称を成し向かい合うように配置される。
【０１１２】
図１４ａと図１４ｂはハングル入力部（１３）及びハングル表示部（２３）のペア（以下、ハングル入力部ペアとする。他の言語も同じく命名する。）と英語入力部（１４）及び英語表示部（２４）のペアを文字入力装置の中心を基準に向かい合うように配置した例である。このようにすれば複数のユーザーが向かい合い韓国語と英語を入力して翻訳キーを入力して翻訳された内容をそれぞれ文字表示部に表示されるようにし、スピーカーキーを押して各言語の音がでるようにするため有効な意思疎通が図れる。
【０１１３】
本発明は図１４ｂに示すように言語入力部左右に数字キー、記号キー及び絵文字、顔文字、スタンプキーがあるその他入力部を配置して文字入力の多様性を提供することができ、画面の空間活用度を増加させることができる。
【０１１４】
本発明は図１４ｃに示すようにハングル入力部ペアと英語入力部ペアを文字入力装置の一方に並んで配置されるが文字入力装置の中心部を向かうように配置しロシア語入力部ペアとギリシア語入力部ペアを文字入力装置の他方に並んで配置されるが同じく前述の文字入力装置の中心部を向かうように配置した例である。このようにすれば韓国語、英語、ロシア語及びギリシア語ユーザーが集まっている状態でそれぞれの母国語を入力することができ、翻訳キーを利用して翻訳文字を提供することができ、スピーカーキーを入力して各言語の音を聞くことができるため、外国語を理解できなくても複数の人が容易に多者間での意思疎通を図ることができる。
【０１１５】
また本発明はオーディオ出力部（５０）にイヤホンを繋いで使用したり、ブルートゥース（登録商標）イヤホンを使えば複数の人が互いに自国語で入力して翻訳キーを押して翻訳しスピーカーキーを押してイヤホンですぐに聞くことができるためそれぞれ自国語でその音をすぐに聞くようになる。このとき、あるユーザーが自国語で入力してから翻訳キーを長押しするとスピーカーキーを押さなくても残りの人々がそれぞれのイヤホンでそれぞれの自国語で翻訳された音をすぐに聞けるようにすることができる。
【０１１６】
図１５は第６の実施例に基づく言語入力部と文字表示部が配置される構成を示す例である。本発明の一実施例において言語入力部が複数あり文字表示部が言語入力部に１対１でマッチングされ分割されることが可能である。このとき入力する文字がどの言語入力部と連動するか設定することができる。その他入力部は設定キー（１２０）の入力を受けると、設定された領域に言語入力部の配置位置と順番が指定された連動キー（１２２）が表出され、連動キー（１２２）の選択を受けると、その他入力部で文字が入力されるとき選択された連動キー（１２２）に該当する言語入力部と１対１でマッチングされる文字表示部で表出されるようにし入力連動を設定する。
【０１１７】
連動キー（１２２）は図６ａに示すように「１」、「２」、「３」、及び「４」という形で表示されることができ、「上」、「下」、「左」及び「右」という形で表示されることが可能である。例えばユーザーは設定キーを押してその他リスト（１２１）で数字を押した後「左」の連動キー（１２２）を押せば数字入力部で入力された数字が左側の言語入力部にマッチングされる文字表示部に連動されて現れる。
【０１１８】
図１５に示すようにハングル入力部（１３）、英語入力部（１４）及び数字入力部（１２ａ）を備える第１その他入力部（１２ｈ）は一方に並んで配列されることができ、ロシア語入力部（１５）、ギリシア語入力部（１８）及び絵文字、顔文字、スタンプ入力部（１２ｄ）を備える第２その他入力部（１２ｉ）は他方に並んで配列されることが可能である。
【０１１９】
ここでハングル入力部（１３）が第１言語入力部（１７ａ）でありハングル表示部（２３）が第１文字表示部（２７ａ）であり、英語入力部（１４）が第２言語入力部（１７ｂ）であり英語表示部（２４）が第２文字表示部（２７ｂ）であり、ギリシア語入力部（１８）が第３言語入力部（１７ｃ）でありギリシア語表示部（２６）が第３文字表示部（２７ｃ）であり、ロシア語入力部（１５）が第４言語入力部（１７ｄ）でありロシア語表示部（２５）が第４文字表示部（２７ｄ）とすることができる。
【０１２０】
ユーザーは第１その他入力部（１２ｈ）上に設定キー（１２０）を押して、「１」の連動キー（１２２）を押して選択すると、ハングル入力部（１３）の文字入力と第１その他入力部（１２ｈ）の入力を互いに連動して同時に入力することができ、第１その他入力部（１２ｈ）で入力した内容が第１文字表示部であるハングル表示部（２３）に現れる。
【０１２１】
ユーザーは第２その他入力部（１２ｉ）上に設定キー（１２０）を押して、「３」の連動キー（１２２）を押して選択すると、ギリシア語入力部（１８）の文字入力と第２その他入力部（１２ｉ）の入力を互いに連動して同時に入力することができ、第２その他入力部（１２ｉ）で入力すると第３文字表示部であるギリシア語表示部（２６）に入力される。
【０１２２】
以上で説明した通り本発明は複数の言語文字を同時に入力する際複数の言語文字を文字入力部に常時表出することで文字入力部を変換することなく言語変換することなく複数の言語文字を同時に有効かつ完全に入力することのできる文字入力装置を提供する。
【産業上の利用可能性】
【０１２３】
本発明は２つ以上の言語入力部と１つ以上のその他入力部を常時表示することで２ヶ国語以上の言語を同時に入力する際メールやテキストメッセージを効率よく入力する文字入力装置として利用することができる。
【図１】
2019530122.tif 000016
【図２ａ】
2019530122.tif 000017
【図２ｂ】
2019530122.tif 000018
【図３ａ】
2019530122.tif 000019
【図３ｂ】
2019530122.tif 000020
【図３ｃ】
2019530122.tif 000021
【図３ｄ】
2019530122.tif 000022
【図４ａ】
2019530122.tif 000023
【図４ｂ】
2019530122.tif 000024
【図４ｃ】
2019530122.tif 000025
【図４ｄ】
2019530122.tif 000026
【図５ａ】
2019530122.tif 000027
【図５ｂ】
2019530122.tif 000028
【図５ｃ】
2019530122.tif 000029
【図５ｄ】
2019530122.tif 000030
【図６ａ】
2019530122.tif 000031
【図６ｂ】
2019530122.tif 000032
【図６ｃ】
2019530122.tif 000033
【図７】
2019530122.tif 000034
【図８】
2019530122.tif 000035
【図９ａ】
2019530122.tif 000036
【図９ｂ】
2019530122.tif 000037
【図９ｃ】
2019530122.tif 000038
【図９ｄ】
2019530122.tif 000039
【図１０ａ】
2019530122.tif 000040
【図１０ｂ】
2019530122.tif 000041
【図１０ｃ】
2019530122.tif 000042
【図１０ｄ】
2019530122.tif 000043
【図１１ａ】
2019530122.tif 000044
【図１１ｂ】
2019530122.tif 000045
【図１２ａ】
2019530122.tif 000046
【図１２ｂ】
2019530122.tif 000047
【図１３】
2019530122.tif 000048
【図１４ａ】
2019530122.tif 000049
【図１４ｂ】
2019530122.tif 000050
【図１４ｃ】
2019530122.tif 000051
【図１５】
2019530122.tif 000052
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
文字の入力を提供する文字入力部と、
入力された文字を画面に表出する文字表示部と、を含む文字入力装置であって、
前記文字入力部は、言語文字の入力を提供する言語入力部とその他入力部に分けられ、
前記文字入力部に２つ以上の言語入力部と１つ以上のその他入力部を表示し２つ以上の言語文字を前記文字入力部に表出することで言語変換の操作をすることなく２つ以上の言語文字を同時に入力し、
前記文字入力部は、前記文字入力部の言語ファンクションキーに対する入力があると、言語リスト及び指定キーを表示し、
前記言語リストは、前記言語入力部で選択された文字を登録、変更、又は削除するために、前記文字入力部の一領域に表示され、
前記文字入力部は、前記言語入力部の配置を指定するための前記指定キーを表示することを特徴とする文字入力装置。
【請求項２】
請求項１において、 前記文字入力部は、右側文字入力部、左側文字入力部、上側文字入力部、下側文字入力部及び中央文字入力部に分けられ、
前記文字入力部から前記言語ファンクションキーが入力されると、前記文字入力部は、言語入力部を少なくとも上側、下側、左側及び右側のいずれの位置に配置するかを指定するための配置キーを提供することを特徴とする文字入力装置。
【請求項３】
請求項１において、前記その他入力部は数字入力部、記号入力部、特殊文字入力部及び絵文字、顔文字、スタンプ入力部、編集入力部、機能入力部及び設定入力部のうちいずれか１つ以上を含むことを特徴とする文字入力装置。
【請求項４】
請求項３において、前記その他入力部から設定キーが入力されると、ある領域に数字、記号、特殊文字、絵文字、顔文字、スタンプ、編集キー、ファンクションキー及び設定キーのうちいずれか１つ以上を含むその他入力キーに関連するその他リストが表出され、その他リストからその他入力キーの選択を提供しその他入力キーを登録、変更又は削除することを特徴とする文字入力装置。
【請求項５】
請求項１において、前記文字入力部の前記言語入力部は、言語入力部領域の任意の地点が押されている状態で上下左右を含む任意の方向に対するスワイプ入力を受けると、他の言語入力部又は他のその他入力部に変更され、
前記入力部の前記その他入力部は、前記その他入力部領域の任意の地点が押されている状態で上下左右を含む任意の方向に対するスワイプ入力を受けると、他のその他入力部又はその他の言語入力部に変更されることを特徴とする文字入力装置。
【請求項６】
請求項１において、前記文字入力部のそれぞれのキーが登録、変更又は削除されるように文字入力部の動作を制御し、ユーザーによって制作されたりアップロードされた資料が登録、変更又は削除されるように文字入力部の動作を制御する制御部をさらに含むことを特徴とする文字入力装置。
【請求項７】
請求項１において、前記文字入力部は一つの言語入力部に文字が入力された状態で翻訳キーの入力を受けると、一つの言語入力部に入力された文字を残りの言語入力部に対応する言語で翻訳することを特徴とする文字入力装置。
【請求項８】
請求項１において、前記文字表示部は言語入力部に対応する１つ以上の文字表示部に分割され、それぞれの言語入力部と分割された文字表示部が１対１でマッチングされることを特徴とする文字入力装置。
【請求項９】
請求項８において、前記文字入力部は一つの言語入力部の言語で文字が入力された状態で翻訳キーの入力を受けると、一つの言語入力部の言語で入力された言語文字を残りの言語入力部の言語文字で一括翻訳し、前記文字表示部は一括翻訳された言語文字を残りの言語入力部の言語別に区分してそれぞれの言語入力部にマッチングされた文字表示部に表出することを特徴とする文字入力装置。
【請求項１０】
請求項１において、前記文字入力部には第ｎ個（ｎは自然数）の言語入力部があり、前記文字表示部は第ｎ個の文字表示部に分割され、前記制御部には第ｎ個のオーディオ出力部が備えられ、第ｎ言語入力部に入力された文字は第ｎ文字表示部に現れ、第ｎ文字表示部に現れた文字の音は第ｎオーディオ出力部を通じてそれぞれ出力されることのできることを特徴とする文字入力装置。
【請求項１１】
請求項８において、前記言語入力部とこれに対応する前記文字表示部は、互いに隣接して１対のグループとして配置され、
前記言語入力部とこれに対応する前記文字表示部を含むそれぞれのグループは、文字入力装置の中心部を基準に左右又は上下に対称を成し向かい合うように配置されることを特徴とする文字入力装置。
【請求項１２】
請求項３において、前記その他入力部は設定キーの入力を受けると、設定された領域に言語入力部の配置位置と順番が指定された連動キーが表出され、連動キーの選択を受けると、その他入力部で入力する文字が入力されるとき選択された連動キーに該当する言語入力部とマッチングされる文字表示部でその他入力部で入力する文字が表出されるようにし入力連動を設定することを特徴とする文字入力装置。
【請求項１３】
請求項１において、前記文字入力部で表示される文字情報、文字入力部の動作を実行させるためのプログラム及び文字入力部から入力されたデータが含まれた入力情報のうちいずれか一つ以上を保存する保存部をさらに含むことを特徴とする文字入力装置。
【国際調査報告】
2019530122.tif 000053
2019530122.tif 000054
2019530122.tif 000055
2019530122.tif 000056